(57)【要約】      （修正有）【課題】搬送・移動を行う際に蓋体が外力接触によって係脱することがない収納ボックスの改良構造を提供する。【解決手段】上端開口を覆設する蓋体と結合してなる収納ボックスの改良構造であって、収納ボックス１の上端開口の水平段開口周辺の所定角隅または部位の外向き側に、切欠き口１１を形成することによって、蓋体４の後向き部位の一部の上蓋２の内側周辺に延出する所定段部の当接部を収納ボックスの上端周辺に跨設した後、上蓋の所定角隅または部位に位置していて下向きに延出する一節のフック部２５を収納ボックスの上端周辺の対応切欠き口の一側に切り込むことで、上蓋と収納ボックスとの間に位置的制約を形成すると共に、上蓋と前蓋３を収納ボックスに覆設した後、良好な係合を保持する。【選択図】図４
0003193224.tif 000002
【実用新案登録請求の範囲】
【請求項１】
物品を収容保持するための収納ボックスに対し、上端開口を覆設する蓋体と結合してなる収納ボックスの改良構造であって、
前記収納ボックスの前記上端開口の水平段開口周辺の所定角隅または部位の外向き側に、切欠き口を形成することによって、前記蓋体の後向き部位の一部の上蓋の内側周辺に延出する所定段部の当接部を前記収納ボックスの上端周辺に定方位跨設した後、当該一部の上蓋の所定角隅または部位に位置していて下向きに延出する一節のフック部を前記収納ボックスの上端周辺の対応切欠き口の一側に切り込むことを許容することで、上蓋と前記収納ボックスとの間に定方位規制を形成すると共に、前記蓋体の上蓋と前蓋を前記収納ボックスに定方位覆設した後、良好な定方位牽制を保持することを特徴とする、収納ボックスの改良構造。
【請求項２】
物品を収容保持するための収納ボックスに対し、上端開口を覆設する蓋体と結合してなる収納ボックスの改良構造であって、
前記収納ボックスと、上蓋と前蓋から構成される前記蓋体とを備え、
前記蓋体に含まれる前記上蓋に、前周辺に向けて一節の所定広巾の支承接合区間が形成され、前記支承接合区間の両傍の対応層面に孔が貫通されることによって、前記蓋体に含まれる前記前蓋の上付近周辺に延出する一節の当接段部を前記上蓋の前記支承接合区間に入れることを許容すると共に、前記当接段部の両傍の外向き層面に位置していて凸設される一節の枢支部を前記支承接合区間の孔に係合することによって、前記前蓋が前記上蓋の前記支承接合区間に枢設され、
前記前蓋は、前記上蓋の前記支承接合区間に沿って前記上蓋の近隣周辺まで上開きして定方位当設として形成されることによって、物品を収納または取出しを容易に行うことを特徴とする、収納ボックスの改良構造。
【請求項３】
前記収納ボックスの前記上端開口に覆設する前記蓋体の後向き部位の当該一部の上蓋の内側周辺に位置していて延出する所定段部の当接部は、前記蓋体の外向き側の枠縁と同じ高さを呈することによって、前記収納ボックスの上端周辺に跨設して密着接触を容易に保持することを特徴とする、請求項１または請求項２に記載の収納ボックスの改良構造。
【請求項４】
前記収納ボックスの前記上端開口に覆設する前記蓋体の後向き部位に位置している前記上蓋は、内側周辺の所定段部には、補助リブが延設され、前記上蓋を前記収納ボックスに覆設すると同時に、前記補助リブにより前記蓋体の強度を増加させることで、蓋体と収納ボックスとの間に定方位牽制を行う際に、更に好ましい密着性と平穏性が得られることを特徴とする、請求項１または請求項２に記載の収納ボックスの改良構造。
【考案の詳細な説明】
【技術分野】
【０００１】
本考案は、収納ボックスの改良構造を提供し、主に様々な物品を収容保持するための収納ボックスの上端に結合する蓋体に対し、所定段部の下向きに延出するフック部を収納ボックスの対応部位に凹設される切欠き口の下端に係着することで、収納ボックスと蓋体との間に良好な定方位規制を保持することができ、上開きする必要がある場合でも、簡単に外して開蓋する応用効果が得られる。
【背景技術】
【０００２】
従来、様々な物品を収容保持するために用いられる収納ボックスの形態が相当多い今、その中に、搬送・移動易さを有する所定形態のプラスチック素材で成形されたボックス体は、極めて普遍的なものである。一般に、現有の収納ボックスは、基本的に所定容積及び造形のボックス体と、ボックス体の上端開口周辺に覆設する符合形態の蓋体とを備え、収納ボックスは、普段、使用者が物品を収容保持するためのものである。また、物品を入れ込みまたは取り出しを行う際に、蓋体を上開きすることができる。そして、その中、収納ボックスの上端開口に覆設する蓋体の形式として、一体成形を採用して収納ボックスの上端に係着可能なものがある。別の形式として、収納ボックス２０に部分的に係着し、前部分に向けて可動的に上開きする形態（図３参照）もある。このような前・後段を有する形式の蓋体１０（図１参照）は、通常、後段蓋体１０１と前段蓋体１０２との境界部位に方位交差の凸耳１０３が形成され、ロッド段１０４で順次に後段蓋体１０１と前段蓋体１０２を貫通して相互に繋結されている凸耳１０３（図２参照）により、前・後段蓋体１０２、１０２が互いに組立した後には枢接状態を呈する。普段、後段蓋体１０１を収納ボックス２０の上端枠縁に適切に係着するようにし、また前段蓋体１０２を収納ボックス２０の前端に向けて当接を行うことによって、使用者は、蓋体１０を開蓋する必要がある場合では、便利に内部物品を取り出しまたは物品の入れ込みをすることが可能である。
【０００３】
収納ボックスの上端開口に覆設する上記蓋体に対し、単純な押入だけでは、人が搬送・移動を行う際、または不注意で外部から衝撃力を受ける際に、上端の蓋体が収納ボックスの上端から簡単に離れることが極めて発生しやすくなっている。
【考案の概要】
【考案が解決しようとする課題】
【０００４】
本考案は、蓋体を覆設するこの種類の収納ボックスに対し、搬送・移動を行う際に蓋体が外力接触によって係脱してしまう問題について改善を行うものである。そのため、収納ボックスと蓋体との間に閉合を行う際に、密着性と平穏性のある係合状態が得られ、かつ上開きする必要がある場合では、便利に取り外す可能な設置を期待するものである。
【０００５】
本考案は、様々な物品を収容保持するための収納ボックスの上端に結合する既存の蓋体により、閉合または上開きを行う際に存在している抜脱しやすい問題を克服するものである。そのため、本考案は、前記蓋体を収納ボックスの上端開口周辺に覆設するにあたって、所定段部の下向きに延出するフック部を収納ボックスの対応部位に凹設される切欠き口の下端に係着することで、収納ボックスと蓋体との間に良好な定方位規制を保持することができ、上開きする必要がある場合でも、簡単に外して開蓋する応用効果を得ることを期待するものである。
【課題を解決するための手段】
【０００６】
本考案の第１の主要目的は、物品を収容保持するための収納ボックスに対し、上端開口を覆設する蓋体と結合してなる収納ボックスの改良構造は、収納ボックスの上端開口の水平段開口周辺の所定角隅または部位の外向き側に、切欠き口を形成することによって、蓋体の後向き部位の一部の上蓋の内側周辺に延出する所定段部の当接部を収納ボックスの上端周辺に定方位跨設した後、当該一部の上蓋の所定角隅または部位に位置していて下向きに延出する一節のフック部を収納ボックスの上端周辺の対応切欠き口の一側に切り込むことを許容することで、上蓋と収納ボックスとの間に定方位規制を形成すると共に、蓋体の上蓋と前蓋を収納ボックスに定方位覆設した後、良好な定方位牽制を保持することを特徴とする、収納ボックスの改良構造を提供することにある。
【０００７】
本考案の第２の主要目的は、物品を収容保持するための収納ボックスに対し、上端開口を覆設する蓋体と結合してなる収納ボックスの改良構造は、収納ボックスと、上蓋と前蓋から構成される蓋体とを備え、その中、前記蓋体に含まれる上蓋に、前周辺に向けて一節の所定広巾の支承接合区間が形成され、前記支承接合区間の両傍の対応層面に孔が貫通されることによって、蓋体に含まれる前蓋の上付近周辺に延出する一節の当接段部を前記上蓋の支承接合区間に入れることを許容すると共に、当接段部の両傍の外向き層面に位置していて凸設される一節の枢支部を支承接合区間の孔に係合することによって、前蓋が迅速に上蓋の支承接合区間に枢設され、前蓋は、上蓋の支承接合区間に沿って上蓋の近隣周辺まで上開きして定方位当設として形成されることによって、物品を収納または取出しを容易に行うことを特徴とする、収納ボックスの改良構造を提供することにある。
【０００８】
本考案の第３の目的は、収納ボックスの上端開口に覆設する前記蓋体の後向き部位の当該一部の上蓋の内側周辺に位置していて延出する所定段部の当接部は、蓋体の外向き側の枠縁と同じ高さを呈することによって、収納ボックスの上端周辺に跨設して密着接触を容易に保持することを特徴とする、収納ボックスの改良構造を提供することにある。
【０００９】
本考案の第４の目的は、収納ボックスの上端開口に覆設する前記蓋体の後向き部位に位置している上蓋は、内側周辺の所定段部には、補助リブが延設され、上蓋を収納ボックスに覆設すると同時に、前記補助リブにより蓋体の強度を増加させることで、蓋体と収納ボックスとの間に定方位牽制を行う際に、更に好ましい密着性と平穏性が得られることを特徴とする、収納ボックスの改良構造を提供することにある。
【図面の簡単な説明】
【００１０】
【図１】従来の収納ボックスと蓋体の外観図である。
【図２】従来の収納ボックスと蓋体の部分断面図である。
【図３】従来の収納ボックス上の蓋体の上開き時の断面図である。
【図４】本考案の収納ボックスと蓋体の分解模式図である。
【図４−１】図４のＡ１部位の拡大詳細図である。
【図４−２】図４のＡ２部位の拡大詳細図である。
【図４−３】図４のＡ３部位の拡大詳細図である。
【図４−４】図４のＡ４部位の拡大詳細図である。
【図５】本考案の収納ボックスと蓋体の分解状態を別の方向から示す模式図である。
【図５−１】図５のＢ１部位の拡大詳細図である。
【図５−２】図５のＢ２部位の拡大詳細図である。
【図６】本考案の収納ボックスと蓋体の組立完了後の外観図である。
【図７】本考案の収納ボックスと蓋体の組立完了後の平面模式図である。
【図８】図７のＣ−Ｃ部位の断面図である。
【図８−１】図８のＤ部位の拡大詳細図である。
【図９】本考案の収納ボックスと蓋体の組立完了後の底面図である。
【図１０】図９のＥ１−Ｅ１部位の断面模式図である。
【図１０−１】図１０のＦ部位の拡大詳細図である。
【図１１】図９のＥ２−Ｅ２部位の断面模式図である。
【図１１−１】図１１のＧ部位の拡大詳細図である。
【図１２】本考案の蓋体を収納ボックス上に覆設して略１８０度開放した時の側面断面図である。
【図１２−１】図１２のＨ部位の拡大詳細図である。
【考案を実施するための形態】
【００１１】
主に物品を収容保持するための収納ボックスに対し、上端開口を覆設する蓋体と結合してなる本考案が設計する収納ボックスの改良構造（図４、図５参照）は、収納ボックス１と、上蓋２及び前蓋３を備えて枢設される蓋体４とから構成される。
【００１２】
その中、収納ボックス１は、所定形態及び容積の上端と前端が開口を形成する収納部材である。収納ボックス１の上端開口の水平段開口周辺の所定角隅または部位の外向き側に、切欠き口１１を形成する（図４、図４−４参照）。
【００１３】
蓋体４は、上蓋２及び前蓋３を備えて構成される。その中、前記上蓋２の前周辺に向けて一節の所定広巾の支承接合区間２１が形成され（図４参照）、支承接合区間２１の両傍の対応層面に孔２２が貫通される（図４−２参照）ことによって、前蓋３の上付近周辺に延出する一節の当接段部３１を前記上蓋２の支承接合区間２１に入れることを許容すると共に、当接段部３１の両傍の外向き層面に位置していて凸設される一節の枢支部３２を支承接合区間２１の孔２２に係合する（図４−１、図８−１参照）ことによって、前蓋３が迅速に上蓋２の支承接合区間２１に枢設される（図６参照）。また、前記蓋体４の後向き部位の上蓋２の内側周辺に位置している所定段部には、複数本の当接部２３が延出される（図５、図５−１、図５−２参照）と共に、蓋体４の後向き部位の当該一部の上蓋２の内側周辺に位置していて延出する所定段部の当接部２３は、蓋体４の外向き側の枠縁２４と同じ高さを呈する（これにより、収納ボックス１の上端周辺に跨設して密着接触を容易に保持する。ここでの前蓋３は、当接部を設けないように実施される）。なお、当該上蓋２の所定角隅または部位に位置していて下向きに一節のフック部２５が延出する（図４、図４−３、図５−２参照）。前記蓋体４は、上蓋２の内側周辺に位置している所定段部には、補助リブ２６が延設される（図５−１、図５−２参照、上蓋２を収納ボックス１に覆設すると同時に、前記補助リブ２６により蓋体４の強度を増加させることで、蓋体４と収納ボックス１との間に定方位牽制を行う際に、更に好ましい密着性と平穏性が得られる）。
【００１４】
上記蓋体４と収納ボックス１との間に定方位組立を行う（図７、図８参照）ことについて、蓋体４の後向き部位の当該一部の上蓋２の内側周辺に延出する所定段部の当接部２３を収納ボックス１の上端周辺に定方位跨設した後（図１０、図１１及び図１０−１、図１１−１参照）、当該一部の上蓋２の所定角隅または部位に位置していて下向きに延出する一節のフック部２５を収納ボックス１の上端周辺の対応切欠き口１１の一側に切り込む（図１０−１参照）ことで、上蓋２と収納ボックス１との間に定方位規制を形成する（図９参照）と共に、蓋体４の上蓋２と前蓋３を収納ボックス１に定方位覆設した後、良好な定方位牽制を保持する（図６参照）。
【００１５】
そして、収納ボックス１の上端に結合する前記蓋体４のうちの前蓋３を上開き時（図１２参照）に、前蓋３は、上蓋２の支承接合区間２１に沿って上蓋２の近隣周辺まで上開きして定方位当設として形成される（図１２−１参照）ことによって、物品を収納または取出しを容易に行う。
【符号の説明】
【００１６】
１０            蓋体
１０１        後段蓋体
１０２        前段蓋体
１０３        凸耳
１０４        ロッド段
２０            収納ボックス
１            収納ボックス
１１    切欠き口
２            上蓋
２１        支承接合区間
２２        孔
２３      当接部
２４        枠縁
２５    フック部
２６        補助リブ
３          前蓋
３１        当接段部
３２    枢支部
４            蓋体
【図１】
0003193224.tif 000003
【図２】
0003193224.tif 000004
【図３】
0003193224.tif 000005
【図４】
0003193224.tif 000006
【図４−１】
0003193224.tif 000007
【図４−２】
0003193224.tif 000008
【図４−３】
0003193224.tif 000009
【図４−４】
0003193224.tif 000010
【図５】
0003193224.tif 000011
【図５−１】
0003193224.tif 000012
【図５−２】
0003193224.tif 000013
【図６】
0003193224.tif 000014
【図７】
0003193224.tif 000015
【図８】
0003193224.tif 000016
【図８−１】
0003193224.tif 000017
【図９】
0003193224.tif 000018
【図１０】
0003193224.tif 000019
【図１０−１】
0003193224.tif 000020
【図１１】
0003193224.tif 000021
【図１１−１】
0003193224.tif 000022
【図１２】
0003193224.tif 000023
【図１２−１】
0003193224.tif 000024
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
物品を収容保持するための収納ボックスに対し、上端開口を覆設する蓋体と結合してなる収納ボックスの改良構造であって、
前記収納ボックスの前記上端開口の水平段開口周辺の所定角隅または部位の外向き側に、切欠き口を形成することによって、前記蓋体の後向き部位の一部の上蓋の内側周辺に延出する所定段部の当接部を前記収納ボックスの上端周辺に跨設した後、当該一部の上蓋の所定角隅または部位に位置していて下向きに延出する一節のフック部を前記収納ボックスの上端周辺の対応切欠き口の一側に切り込むことを許容することで、上蓋と前記収納ボックスとの間に位置的制約を形成すると共に、前記蓋体の上蓋と前蓋を前記収納ボックスに覆設した後、良好な係合を保持することを特徴とする、収納ボックスの改良構造。
【請求項２】
物品を収容保持するための収納ボックスに対し、上端開口を覆設する蓋体と結合してなる収納ボックスの改良構造であって、
前記収納ボックスと、上蓋と前蓋から構成される前記蓋体とを備え、
前記蓋体に含まれる前記上蓋に、前周辺に向けて一節の所定広巾の支承接合区間が形成され、前記支承接合区間の両傍の対応層面に孔が貫通されることによって、前記蓋体に含まれる前記前蓋の上付近周辺に延出する一節の当接段部を前記上蓋の前記支承接合区間に入れることを許容すると共に、前記当接段部の両傍の外向き層面に位置していて凸設される一節の枢支部を前記支承接合区間の孔に係合することによって、前記前蓋が前記上蓋の前記支承接合区間に枢設され、
前記前蓋は、前記上蓋の前記支承接合区間に沿って前記上蓋の近隣周辺まで上開きして当設して形成されることによって、物品を収納または取出しを容易に行うことを特徴とする、収納ボックスの改良構造。
【請求項３】
前記収納ボックスの前記上端開口に覆設する前記蓋体の後向き部位の当該一部の上蓋の内側周辺に位置していて延出する所定段部の当接部は、前記蓋体の外向き側の枠縁と同じ高さを呈することによって、前記収納ボックスの上端周辺に跨設して密着接触を容易に保持することを特徴とする、請求項１または請求項２に記載の収納ボックスの改良構造。
【請求項４】
前記収納ボックスの前記上端開口に覆設する前記蓋体の後向き部位に位置している前記上蓋は、内側周辺の所定段部には、補助リブが延設され、前記上蓋を前記収納ボックスに覆設すると同時に、前記補助リブにより前記蓋体の強度を増加させることで、蓋体と収納ボックスが係合する際に、更に好ましい密着性と平穏性が得られることを特徴とする、請求項１または請求項２に記載の収納ボックスの改良構造。